(57)【要約】      （修正有）【課題】保護コードを備える光学記憶媒体を提供する。【解決手段】光学記憶媒体は基板層とデータ層とを備える。データ層はマークおよびスペースとしてトラックに配置されるデータを含む。保護コードＰＣは第１のサイズのマーク、より小さな第２のマークのコードを含むトラックのうちの１つまたはトラックの一部で暗号化される。第２のサイズのマークは第１のサイズのマークの幅よりも小さい幅である。保護コードを得るために、第１のレーザー出力でトラックまたはトラックの一部を読み取って、第１のデータ信号Ｄ１を得るステップと、第１のレーザー出力とは異なる第２のレーザー出力で同じトラックまたは同じトラックの一部を読み取って、第２のデータ信号Ｄ２を得るステップと、第１のデータ信号と第２のデータ信号とを考慮することにより保護コードを計算するステップとを備える。保護コードは各データの読み取り装置のマイクロプロセッサにより計算される。【選択図】図３
2010003400.tif 000002
【特許請求の範囲】
【請求項１】
基板層と、
前記基板層の上に配置されて、マークおよびスペースとしてトラックに配置されるデータを備えるデータ層と、を備える光学記憶媒体において、
保護コードが、前記トラックの１つまたはトラックの一部において暗号化されており、前記保護コードは、
第１のレーザー出力で読み取り可能な第１のサイズのマークと、
前記第１のレーザー出力よりも高い第２のレーザー出力でのみ読み取り可能な第２のサイズのより小さいマークと、
を備えることを特徴とする光学記憶媒体。
【請求項２】
前記第２のサイズの前記マークは、前記第１のサイズの前記マークの前記幅よりも小さな幅を有することを特徴とする請求項１に記載の光学記憶媒体。
【請求項３】
前記光学記憶媒体の前記保護コードは、前記第１のレーザー出力で読み取られる第１のデータ信号と、前記第２のレーザー出力で読み取られる第２のデータ信号と、を用いることによって計算され、前記第１のデータ信号は、前記第１のサイズの前記マークと対応し、前記第２のデータ信号は、前記第２のサイズの前記マークと対応する
ことを特徴とする請求項１または２記載の光学記憶媒体。
【請求項４】
カバー層と、
特に超解像近接場構造を備えて前記カバー層および前記データ層の間に配置されて、超解像効果をもたらす非線形材料のマスク層と
を備えることを特徴とする請求項１乃至３のいずれか１項に記載の光学記憶媒体。
【請求項５】
前記第２のサイズの前記マークは、前記光学解像の限界よりも小さなサイズを有し、前記第１のサイズの前記マークは、前記光学記憶媒体の前記データを読み取るように設計された光学ピックアップの前記光学解像の前記限界よりも大きなサイズを有し、前記第１のレーザー出力は、前記マスク層の超解像近接場の効果をもたらす閾値よりも小さいレーザー出力であり、前記第２のレーザー出力は、前記マスク層の超解像近接場の効果をもたらす閾値以上のレーザー出力である
ことを特徴とする請求項４に記載の光学記憶媒体。
【請求項６】
前記第１のサイズおよび前記第２のサイズの前記マークは、同じ長さを有することを特徴とする請求項１乃至５いずれか１項に記載の光学記憶媒体。
【請求項７】
前記マークとしてプレスされたピットを備える読み取り専用の光学ディスクであり、
前記保護コードは、コピー保護または前記光学ディスクの読み取り保護のために利用できる
ことを特徴とする請求項１乃至６いずれか１項に記載の光学記憶媒体。
【請求項８】
本質的に並行するトラックに配置されるデータを含む光記憶媒体からデータを読み取る方法であって、
第１のデータ信号を得るために第１のレーザー出力でトラックまたはトラックの一部を読み取るステップと、
前記第１のデータ信号とは異なる第２のデータ信号を得るために、前記第１のレーザー出力とは異なる第２のレーザー出力で同じ前記トラックまたは同じ前記トラックの一部を読み取る別のステップと、
前記第１のデータ信号および前記第２のデータ信号を考慮することにより、前記光学記憶媒体の保護コードを計算するステップと
を備えることを特徴とする方法。
【請求項９】
２つの読み取るステップについて、同じ波長を提供する光学ピックアップを用いる前記ステップを備え、前記光学記憶媒体の光学的性質は、異なる第１のデータ信号および第２のデータ信号を提供するように、前記第１のレーザー出力および前記第２のレーザー出力が選択される
ことを特徴とする請求項８に記載の方法。
【請求項１０】
前記第１のレーザー出力は、前記光学記憶媒体の超解像近接場の効果を利用するための閾値よりも小さいレーザー出力であり、前記第２のレーザー出力は、前記光学記憶媒体の超解像近接場の効果を利用するための閾値以上のレーザー出力である
ことを特徴とする請求項８または９に記載の方法。
【請求項１１】
前記第１のデータ信号と前記第２のデータ信号との差または和を考慮して前記保護コードを計算するステップを備えることを特徴とする請求項８乃至１０のいずれか１項に記載の方法。
【請求項１２】
前記光学記憶媒体のコピー保護または前記光学記憶媒体の読み取り保護のために前記保護コードを用いるステップを備えることを特徴とする請求項８乃至１１のいずれか１項に記載の方法。
【請求項１３】
前記光学記憶媒体は、請求項１乃至７のうちのいずれか１項に係る記憶媒体であることを特徴とする請求項８乃至１２のいずれか１項に記載の方法。
【請求項１４】
請求項８乃至１３のうちのいずれか１項に係る方法を利用することによって、光学記憶媒体のデータを読み取る光学ピックアップを備える装置。
【請求項１５】
保護コードの計算のためのプロセッサをさらに備え、前記光学ピックアップは、４００から４２０ナノメートルの範囲の波長を有するレーザーダイオードを備える
ことを特徴とする請求項１４に記載の装置。
【発明の詳細な説明】
【技術分野】
【０００１】
本発明は、基板層と、基板層上のトラックに配置されるピット構造、またはマーク／スペース構造を有するデータ層と、を備える光学記憶媒体、およびデータを読み取る各装置に関する。光学記憶媒体は、特に、高データ密度でデータを記憶するための超解像近接場構造のデータ層およびマスク層のような、読み取り専用のデータ層を備える光学ディスクである。
【背景技術】
【０００２】
光学記憶媒体は、光学的に読み取り可能な方法でデータが記憶される媒体であり、例えば、ピックアップに組み合わされるレーザーや光検出器の手段による。光検出器は、記憶媒体からデータを読み取るときに、レーザービームの反射光を検出するために用いられる。一方、多くの様々な光学記憶媒体が知られており、異なるレーザー波長で動作するものや、１ギガバイト未満から５０ギガバイト（ＧＢ）までの記憶容量を提供するために異なるサイズを有するものがある。このフォーマットは、読み取り専用フォーマット、追記型光媒体、および書き換え可能なフォーマットを含む。デジタルデータは、媒体の１または２以上の層の中のトラックに沿ってこれらの媒体に記憶される。
【０００３】
最高のデータ容量を備える記憶媒体は、現在、２層ディスクに５０ギガバイトまで記憶できるブルーレイディスク（Blu-ray disc（登録商標）：ＢＤ）である。ブルーレイディスクの読み取りおよび書き込みに関して、４０５ナノメートルのレーザー波長の光学ピックアップが用いられる。ブルーレイディスクでは、３２０ナノメートルのトラックピッチ、および２Ｔから８Ｔおよび９Ｔまでのマーク長が用いられる。ここで、Ｔはチャネルビット長であり、１３８から１６０ナノメートルの最小のマーク長と一致する。ブルーレイディスクのシステムに関するさらなる情報は、例えば、非特許文献１にてブルーレイグループから入手できる。
【０００４】
超解像近接場構造（Super-RENS）を備える新しい光学記憶媒体は、ブルーレイディスクと比較して、一容量において２から４倍程度まで光学記憶媒体のデータ密度を増大する可能性がある。これは、光学記憶媒体のデータ層上に配置され、光学記憶媒体から読み取るために用いられるライトスポットの有効サイズを大いに減少するいわゆる超解像または超解像近接場構造層により可能となる。超解像近接場構造層は、マスク層とも呼ばれる。なぜならば、データ層の上に配置されて、一部の特定の材料についてのみレーザービームの高強度の中心部分がマスク層に入ることができるからである。さらに該材料はマスク層としても用いることができて、フォーカスされたレーザービームの中心部分において高い反射性を示し、例えば、ＩｎＳｂは非線形の光学特性を示す。超解像の効果は、一部の特定の材料の非線形の効果に特に基づいていることが想定される。それゆえに、超解像近接場構造の効果は、ディスク上のデータを読み取りまたは書き込みするための光学ピックアップの解像限界以下のサイズを有する光ディスクのマークに記憶されたデータを記録し、そして読み取ることを可能にする。
【０００５】
光学回折の限界以上に小さなマークを記録し、そして読み出すための超解像近接場の技術は、例えば、超解像層としてアンチモン薄膜を用いることが非特許文献２に記述されている。
【０００６】
異なる幅のマークを有する光学ディスクの原盤を製造する方法が、例えば、特許文献１に記述されており、記録ビームを備えるレーザーを用い、原盤の製造のための記録ビームの強度を変化させる変調機器を用いている。最小のマークについてより高いレーザーを出力することにより、最小のマークの幅が増して、最小の幅の視認性を広げる。
【０００７】
非特許文献３には、第１の幅の丸いピット、およびより大きな幅のピットのトラックを有する各読み取り専用ディスクのトラックを有するSuper-RENS読み取り専用ディスクに関する測定が記述されている。読み出し出力の依存をもたらすＣＮＲは、１７３ナノメートル長を有するピット、および１７０ナノメートルから４１５ナノメートルの範囲のピット幅を有するピットを示している。また、６４ナノメートルから１６０ナノメートルの範囲の幅のピットを有する光学ディスクついてのシミュレーションもまた示される。
【先行技術文献】
【特許文献】
【０００８】
【特許文献１】欧州特許ＥＰ−Ａ−０８１４４６４号公報
【非特許文献】
【０００９】
【非特許文献１】http://www.blu-raydisc.com.
【非特許文献２】Tominaga, Nakano and Atoda in “An approach for recording and readout beyond the diffraction limit with an Sb thin film”, Applied Physics Letters, Vol. 73, No.15, 12 October 1998
【非特許文献３】”Random Signal Characteristics of Super Resolution Near Field Structure Read-Only Memory Disc”, Kim et al., Japanese Journal of Applied Physics, Vol. 45, No.2B, 2006, pp.1374-1378
【発明の概要】
【００１０】
光学記憶媒体は、基板層と、基板層上に配置されるデータ層とを備え、データ層はマークおよびスペースとしてトラックに配置されるデータを備えている。光学記憶媒体は、トラックの１つまたはトラックの一部において暗号化される保護コードを備える。保護コードは、第１のレーザー出力で読み取り可能な第１のサイズのマークと、第１のレーザー出力よりも高い第２のレーザー出力のみで読み取り可能な第２のサイズのマークとを備える。光学記憶媒体は、例えば、マークとしてプレスされたピットを備える読み取り専用の光学ディスクであり、そしてトラックは、光学ディスク上の１または複数のスパイラルに配置される。
【００１１】
マークのサイズが異なるため、第１のレーザー出力で保護コードを読み取る第１のステップのときに、別のステップにおいて第２のレーザー出力で読み取られる第２のデータ信号とは異なる第１のデータ信号が取得され、そして次に第１および第２のデータ信号を考慮することにより、例えば第１のデータ信号と第２のデータ信号の和または差を計算することによって保護コードが計算される。特に第１のサイズのマークがより大きな幅を有し、そして第２のサイズのマークが、第１のレーザー出力ではなくより高い第２のレーザー出力のみで読み取り可能な小さな幅を有するときには、この種類の保護コードはコピーするのがとても難しい。
【００１２】
この種類の保護コードは、超解像効果をもたらす非線形材料のマスク層、とりわけ光学記憶媒体のデータ層とカバー層との間に配置される超解像近接場構造を備える高密度の光学記憶媒体に対して有利に利用することができる。第１のレーザー出力が後に調整されて、第１のサイズのマークが明確に読み取り可能となるが、マスク層の超解像近接場効果をもたらす閾値以下のレーザー出力を用いても第２のサイズのマークを読み取りできず、第２のレーザー出力は、超解像近接場効果をもたらして、より小さい第２のサイズのマークを読み取るように調整される。
【００１３】
保護コードは、例えば、光学記憶媒体のユーザーデータの先頭に関する情報を含むことができ、このユーザーデータの前の光学記憶媒体の先頭に配置される。データの開始は、通常、光学ディスクの場合には内側の部分である。ユーザーデータの開始に関する情報なしに、ユーザーは、そのときにユーザーデータを読み取ることができないこととなる。加えて、商用の記録機器は、光学記憶媒体上で異なる幅を有するマークを記録することが許容されていないので、光学記憶媒体のコピーはユーザーにはとても難しいことであろう。
【００１４】
この種類の光学記憶媒体を読み取る装置は、光学記憶媒体のユーザーデータにアクセスが可能となる前に、光学記憶媒体の保護コードをそれゆえ計算しなければならない。保護コードを取得するために、該装置は、対応する光学ピックアップのレーザー出力を調整して、第１のレーザー出力でより大きなサイズのマークだけを読み取って、第１のデータ信号を取得し、そして別のステップにおいて、第２のレーザー出力で同じトラックまたはトラックの同じ一部を読み取る。第２のレーザー出力は、第１のレーザー出力よりも高く、第１の幅のマークおよびより小さな幅のマークを読み取り、第１のデータ信号とは異なる第２のデータ信号を取得する。次のステップにおいて、例えば該装置のマイクロプロセッサを用いることにより、第１のデータ信号および第２のデータ信号を考慮することにより保護コードが計算される。
【図面の簡単な説明】
【００１５】
本発明の好適な実施形態は、ここでは簡単な図面を参照しつつ例示により以下にとりわけ詳細に説明される。
【図１】超解像近接場効果をもたらすマスク層を備える光学記憶媒体の断面図である。
【図２】異なる幅のマークを備える図１の光学記憶媒体のトラックの一部を示す図である。
【図３】（ａ）は、低いレーザー出力で図２のトラックを読み取るときに取得される第１のデータ信号である。（ｂ）は、第１のレーザー出力よりも高い第２のレーザー出力で図２のトラックを読み取るときに取得される第２のデータ信号である。（ｃ）は、第１のデータ信号および第２のデータ信号から計算された第３のデータ信号である。
【図４】第１のより低いレーザー出力で１５０ナノメートルの長さを有する連続するマークの幅ごとのシミュレーション結果である。
【図５】超解像効果をもたらす第２のレーザー出力で１５０ナノメートルの長さを有する連続するマークの幅ごとのシミュレーション結果である。
【発明を実施するための形態】
【００１６】
超解像近接場構造（Super-RENS）層４を備える光学記憶媒体１が、単純化した方法で図１の断面図に示される。光学記憶媒体１は、基板２を備え、基板２上には、プレスされたピット構造、または、代替としてマーク／スペース構造を有するデータ層３が配置される。データ層３上には、保護層として第１の誘電体層５が配置される。また、図１には示されていないが、例えばアルミニウム層等の反射金属層は、誘電体層５とデータ層３との間に配置することができる。超解像近接場構造層４はまた、マスク層とも呼ばれる。なぜならば、データ層３の上に配置され、そして一部の特定の金属についてのみレーザービームの高強度の中央部分が超解像近接場構造層４に入ることができるからである。光学記憶媒体１は、特に、ＤＶＤおよびＣＤと同等の大きさを有する光学ディスクである。
【００１７】
光学記憶媒体１は、光学記憶媒体１を保護するカバー層７を備え、カバー層７および超解像近接場構造層４の間に配置される第２の誘電体層６をもまた有利に備える。データ層３のデータを読み取るために、レーザービームが光学記憶媒体１の上部に当てられて、まずカバー層７に入る。第１の誘電体層５および第２の誘電体層６は、例えばＺｎＳ−ＳｉＯ2の材料を備える。基板２およびカバー層７は、ＤＶＤやＣＤから知られているようなプラスチック材料から形成することができる。他の実施形態において、反射金属層を省略することができて、超解像近接場構造層が用いられるときに、熱効果によって透過率を増加させないが、他の超解像近接場構造の効果で作用する。
【００１８】
光学記憶媒体１は、データ層３のトラックに基本的に平行して配置される読み取り専用のデータを特に備える。読み取り専用データは、例えば、周知の光学ディスクから知られているユーザーデータおよび制御データを含み、内部の１または複数のスパイラルの開始、および光学記憶媒体１の外部の終端に配置される。本発明によれば、光学記憶媒体１はまた、図２に示すようにトラックのうちの１つまたはトラックの一部の中に暗号化された保護コードを備える。
【００１９】
図２に、暗号化されたデジタルデータを表すランドＬによって分けられるピットＰを備えるトラックＴの一部を示す。ピットＰは、異なるサイズを有し、特に第１の幅ｗ１、およびより小さい第２の幅ｗ２を有する。ピットは、ブルーレイディスク標準の要求に係る波長およびレーザー出力、例えば、５ｍ／ｓのスピードで０．４ｍＷのレーザー出力を有する青色レーザーを備える光学ピックアップを有する装置で読み取ることができる。これは、超解像近接場効果をもたらすには不十分なレーザー出力である。
【００２０】
ピットＰの第２の幅ｗ２はもっと小さく、上記のレーザー出力では読み取りできない。幅ｗ２のピットを読み取るために、第１のレーザー出力よりも必然的に高く、例えば、５ｍ／ｓのトラックスピードで約２．０ｍＷであり、超解像近接場効果をもたらすのに十分な第２のレーザー出力が要求される。これは、青色レーザーダイオードを有する現在の光学ピックアップが容易に出すことができるレーザー出力である。第１のレーザー出力に関して、特に０．１から１ｍＷの範囲内でのレーザー出力を用いることができて、そして第２のレーザー出力に関して、０．８から５ｍＷの範囲内でのレーザー出力を用いることができる。
【００２１】
それゆえ、光学記憶媒体１を読み取る装置が第１のレーザー出力でトラックＴのピットＰを読み取るとき、より大きな幅ｗ１を有するピットだけが検出されて、図３ａに示すようなデータ信号Ｄ１をもたらす。該装置が、超解像近接場効果をもたらすのに十分な第２のレーザー出力でトラックＴの同じ部分を読み取るとき、より大きな幅ｗ１をもつピットＰ、およびより小さな幅ｗ２を有するピットＰが検出され、図３ｂに示すデータ信号のようになる。２つの異なる大きさｗ１およびｗ２のピットを有するトラックＴは、図２について説明したように、第１および第２のレーザー出力でトラックＴを読み取るときに、２つの異なるデータ信号Ｄ１およびＤ２を与える。この効果は、第１のデータ信号Ｄ１および第２のデータ信号Ｄ２を考慮する計算により、光学記憶媒体１に関する保護コードの提供を目的として利用することができる。
【００２２】
光学記憶媒体１の保護コードにアクセスするために、光学記憶媒体の読み取り装置は、それゆえ、図３ａのような第１のデータ信号Ｄ１を取得して、より大きな幅ｗ１を有するピットのみを読み取る第１のステップにおいて第１のレーザー出力を用いる。第２のステップにおいて、該装置は、より大きなｗ１を有するピットＰおよびより小さなｗ２を有するピットＰを読み取って、図３ｂのような第２のデータ信号Ｄ２を得るために、第１のレーザー出力よりも必然的に高い第２のレーザー出力で同じトラックＴまたはトラックＴの同じ部分を読み取る。次に、２つのデータ信号Ｄ１およびＤ２の組み合わせを用いて、例えば該装置のプロセッサにより保護コードが計算される。例えば、保護コードは、図３ｃに示す第３のデータ信号Ｄ３のように、第２のデータ信号Ｄ２と第１のデータ信号Ｄ１との差を用いることにより計算してもよい。しかし、例えば加算や乗算のように、他のいかなる計算方法もまた、保護コードを得るために用いることができる。
【００２３】
保護コードは、権限のない人物がユーザーデータを読み取るのを防ぐことを目的として、光学記憶媒体の読み取り保護として有利に用いることができる。該装置はそれゆえ、光学記憶媒体の保護コードが該装置のメモリに記憶される保護コードと一致したとき、または、例えば遠隔制御を用いることによりユーザーが該装置に正しい保護コードを入力したときに、光学ディスクのユーザーデータだけを読み取らせることができる。
【００２４】
保護コードは、光学記憶媒体の先頭のユーザーデータの前、例えば、光学ディスクのスパイラルの内部に配置することができて、光学ディスク上には光学ディスクの内側の先頭で始まり光学ディスクの外側で終わる１つのスパイラルのように、トラックが配置される。保護コードは、特に光学ディスクのユーザーデータの先頭位置を含むことができる。ユーザーデータの先頭の読み取りは、そのときに保護コードを知らないとできない。保護コードは、光学ディスクのユーザーデータの読み取りに必要な制御データを代わりにまたは追加的に含むことができる。
【００２５】
保護コードは、図２および図３ａ−３ｃについて説明したように、より大きな幅ｗ１をもつマークおよびより小さな幅ｗ２をもつマークを用いるときに、読み取り専用の光学記憶媒体について十分効果的にコピー保護するものとして用いることもできる。現在の光学記録機器は、図２に示すように交互に異なる幅を有する光学ディスク上にマークを記録することができない。異なる幅のマークを記録することに関して、ディスク上の記録用レーザー光のスポットの大きさは、第１の幅ｗ１および第２の幅ｗ２のマークを交互に記録するためには、幅に応じて変調されなければならない。これは商用の設備では不可能である。
【００２６】
それゆえに、図２に示す保護コードを含むトラックの生データをちょうど読み取るとき、図３ｂに示すようなデータ信号Ｄ２を得るためのより高い第２のレーザー出力を用いる１つのステップにおいて、全てのデータを読み取ることができる。それゆえ、例えば、より高いレーザー出力で光学ディスク全体を読み取ることにより、光学記憶媒体の生データを得ることがやはり可能である。しかし、生データが記録可能な光学ディスク上にコピーされるとき、記録可能な光学ディスクのコピーされたデータ信号Ｄ２は、常に同じ幅のマークを有するトラックをもたらし、そしてそれゆえに、第１のデータ信号Ｄ１に関する情報が失われているので、コピーされたディスクからはもはや保護コードを得ることはできない。
【００２７】
したがって、元の光学記憶媒体の正しい保護コードが知られたときでさえ、この保護コードは、記録された光学ディスクのコピーされたデータの読み取りに用いることができない。なぜならば、保護コードを提供するように設計されたトラックの保護コードを得るための方法を用いたときに、光学ディスクを読み取る装置は、第１のステップにおける低い読み取り出力および第２のステップにおける高い読み取り出力でトラックＴを読み取って２つの異なるデータ信号Ｄ１およびＤ２を得ないからであり、それは、コピーされたトラックが、元のディスクに含まれているような異なる幅のマークを含まないからである。
【００２８】
将来の標準的な光学記憶媒体として用いられるかもしれない超解像近接場効果を利用する高データ容量光学ディスクを設計するとき、または仕様を定めるとき、図２について説明したように、トラックまたはトラックの一部において異なる幅のマークを含むときに、十分効果的なコピー保護を含めることができる。
【００２９】
そのような超解像近接場構造の光学ディスクの読み取り装置は、例えば、現在のブルーレイディスクのピックアップに用いられているような青色レーザーダイオードおよび開口数ＮＡ＝０．８５を有するピックアップを含むことができる。次に、保護コードのマークに関して、１５０ナノメートルの長さと１５０ナノメートルの幅とを有し、例えば図２に示すような丸いサイズのプレスされたピットを用いることができる。サイズがｗ１のピットＰは、上述の通り、例えば０．４ｍＷの赤色レーザーの低出力で可視的である。次に、サイズがｗ１のピットＰは、図３ａに示すように、第１のデータ信号Ｄ１を与える。第２の幅ｗ２に関して、青色レーザーダイオードを用いる光学ピックアップの光学解像の限界以下である１２０ナノメートルまたはそれ以下の幅を用いることができる。次に、幅ｗ２のピットは、超解像近接場構造の超解像効果を与えるより高いレーザー出力、例えば２．０ｍＷ、のみで読み取ることができ、これは、第２のデータ信号Ｄ２をもたらす。保護コード（ＰＣ）の計算に関して、装置は、装置内で既に利用可能なマイクロプロセッサを利用することができる。
【００３０】
ブルーレイディスク標準と一致する光学ピックアップは、このピックアップの光学解像の限界λ／２×ＮＡとおおよそ一致する２４０ナノメートルのスポットサイズをディスク上で与える。４．９２ｍ／ｓの速さで対応するカットオフ周波数は２０．６ＭＨｚであり、２４０ナノメートルの「スペース−マーク」の仕組みに関連する。検出可能な最小のピットサイズは、１２０ナノメートルの長さを有するピットについて達成した。これは、実験で確認できる。同じ方法において、１２０ナノメートルまたはそれ以下の幅をともに有する１５０ナノメートルまたはそれ以下の長さを有するピットは、超解像効果のような手段なしに検出できない。
【００３１】
さらなる証拠を提供するために、超解像効果をもたらすには不十分な第１のレーザー出力について、１５０ナノメートルの長さと１５０ナノメートルおよびそれ以下の異なる幅を有するピットの検出に関するシミュレーションが実施された。これらのシミュレーションの結果を図４に示す。図４の結果は、１５０ナノメートルおよびわずかに小さい幅を有するピットは、このピットに関する読み取り信号の変調を引き起こし、理論および実験に従ってこれらのピットの検出を可能にすることを示す。しかし、１２０ナノメートルまたはそれ以下の幅を有する１５０ナノメートルのピットについて、そのようなレーザー出力ではマークを検出するのを妨げられて、データ信号の十分な変調が得られないこととなるであろう。
【００３２】
さらに、同じピットに関するシミュレーションが実施されたが、ここでは、超解像効果をもたらすのに十分なより高いレーザー出力を用いている。これらのシミュレーションの結果を図５に示す。図に示すように、７５ナノメートル以下の幅を有するピットに関してさえ、データ信号の明確な変調を得た。
【００３３】
保護コードを表す図２に示すマークＰは、全て同じ長さを有する。代わりに、異なる長さは、第１の幅を有するマーク、第２の幅を有するマーク、またはその両方の種類のマークについて用いることができる。
【００３４】
２つの異なる幅ｗ１、ｗ２のピットＰを有する読み取り専用光学ディスクは、光学ディスクの原盤の製造についてエレクトロンビームマスタリングを用いることにより、容易に製造することができる。エレクトロンビームマスタリングは、トラックの方向に関して横方向にエレクトロンビームを揺動（wobble）することを可能にして、トラックのピッチの決められた幅を与える。エレクトロンビームについてのウォッブルアンプリチュード（wobble amplitude）は、図２に示すように２つの異なる幅を有する一連のピットに関して、容易に変調することができる。この種類の原盤は、次に各読み取り専用の光学ディスクのデータ層のプレスのために用いることができる。
【００３５】
それゆえ、本発明の保護コードは、図１に関して説明したように、超解像近接場構造を有するマスク層を含む超解像近接場構造の光学ディスクについて、有利に用いることができるが、本発明はまた、例えばホログラフィック記憶媒体のような他の光学記憶媒体または他の光学ディスクに用いられてもよい。本発明はまた、読み取り専用（ＲＯＭ）の光学記憶媒体についてだけではなく、例えばユーザーに光学記憶媒体の記録可能な部分にユーザー仕様データを記録させるように記録可能な光学記憶媒体について用いられてもよい。この種類の光学記憶媒体を読み取る装置は、青色波長を出力するレーザーダイオードだけではなく、他のいかなる波長のレーザーダイオードを利用することができる。本発明は、それゆえ、後に添付の特許請求の範囲に属する。
【図１】
2010003400.tif 000003
【図２】
2010003400.tif 000004
【図３】
2010003400.tif 000005
【図４】
2010003400.tif 000006
【図５】
2010003400.tif 000007
【外国語明細書】
2010003400000001.pdf